(57)【要約】【課題】現に使用されている処理前水の流圧を使用して前記問題点を解決することができ、且つ当該問題の解決後も長期に亘って同様の問題を惹起しないようにすることができる、新規の環境浄化装置の提供、環境浄化方法の提供、農作物等の生育改善方法の提供及び魚等の洗浄作業の改善方法の提供を目的とする。【解決手段】活性水素水を造水する機能を有する鉱石を使用時には処理前水に接する状態で含む繊維によりブラシ毛部が構成されたブラシ体を、上流側入口及び下流側出口を有する導水管内に装入して環境浄化装置を構成し、この環境浄化装置のブラシ毛部に接する状態で処理前水を流して活性水素水を造水すると共に当該活性水素水をミネラルを溶出する機能を有するミネラル溶出用粒体に接する状態にして流し、このミネラル溶出用粒体に接した後の処理済水を環境浄化に用いることを特徴とする。【選択図】図１
2006102733.tif 000002
【特許請求の範囲】
【請求項１】
鉱石を使用時には処理前水に接する状態で含む繊維によりブラシ毛部が構成されたブラシ体を、上流側入口及び下流側出口を有する導水管内に装入して成ることを特徴とする環境浄化装置。
【請求項２】
鉱石が、活性水素水を造水する機能を有する鉱石であることを特徴とする請求項１記載の環境浄化装置。
【請求項３】
鉱石が、ミネラルを溶出する機能を有する鉱石であることを特徴とする請求項１記載の環境浄化装置。
【請求項４】
ブラシ毛部の各ブラシ毛の先端が、同ブラシ毛の基端よりも上流側に存する位置になる状態にして導水管の内面に当接されたことを特徴とする請求項１記載の環境浄化装置。
【請求項５】
導水管内においてブラシ毛部のブラシ毛に接した後の水が流れる位置にミネラルを溶出する機能を有するミネラル溶出用粒体が装入されたことを特徴とする請求項１〜４のうちの一つの請求項記載の環境浄化装置。
【請求項６】
導水管内においてブラシ毛部のブラシ毛に接した後の水が流れる位置に消臭機能を有する消臭用粒体が装入されたことを特徴とする請求項１〜４のうちの一つの請求項記載の環境浄化装置。
【請求項７】
ブラシ体は、多数本のブラシ毛が放射方向に向いて丸棒形状を形成する状態に植毛された構成であることを特徴とする請求項１〜６のうちの一つの請求項記載の環境浄化装置。
【請求項８】
導水管が、複数本まで並列に接続されたことを特徴とする請求項１〜７のうちの一つの請求項記載の環境浄化装置。
【請求項９】
ブラシ毛部が導水管内に多数本まで装入されたことを特徴とする請求項１〜８のうちの一つの請求項記載の環境浄化装置。
【請求項１０】
活性水素水を造水する機能を有する鉱石を使用時には処理前水に接する状態で含む繊維によりブラシ毛部が構成されたブラシ体を、上流側入口及び下流側出口を有する導水管内に装入して環境浄化装置を構成し、この環境浄化装置のブラシ毛部に接する状態で処理前水を流して活性水素水を造水すると共に当該活性水素水をミネラルを溶出する機能を有するミネラル溶出用粒体に接する状態にして流し、このミネラル溶出用粒体に接した後の処理済水を環境浄化に用いることを特徴とする環境浄化方法。
【請求項１１】
活性水素水を造水する機能を有する鉱石を使用時には処理前水に接する状態で含む繊維によりブラシ毛部が構成されたブラシ体を、上流側入口及び下流側出口を有する導水管内に装入して環境浄化装置を構成し、この環境浄化装置のブラシ毛部に接する状態で処理前水を流して活性水素水を造水すると共に当該活性水素水を消臭機能を有する消臭用粒体に接する状態にして流し、この消臭用粒体に接した後の処理済水を環境浄化に用いることを特徴とする環境浄化方法。
【請求項１２】
活性水素水を造水する機能を有する鉱石を使用時には処理前水に接する状態で含む繊維によりブラシ毛部が構成されたブラシ体を、上流側入口及び下流側出口を有する導水管内に装入して環境浄化装置を構成し、この環境浄化装置のブラシ毛部に接する状態で処理前水を流して活性水素水を造水すると共に当該活性水素水をミネラルを溶出する機能を有するミネラル溶出用粒体に接する状態にして流し、このミネラル溶出用粒体に接した後の処理済水を田んぼ等農作用地に供給することを特徴とする農作物等の生育改善方法。
【請求項１３】
活性水素水を造水する機能を有する鉱石を使用時には処理前水に接する状態で含む繊維によりブラシ毛部が構成されたブラシ体を、上流側入口及び下流側出口を有する導水管内に装入して環境浄化装置を構成し、この環境浄化装置のブラシ毛部に接する状態で処理前水を流して活性水素水を造水すると共に当該活性水素水を消臭する機能を有する消臭用粒体に接する状態にして流し、この消臭用粒体に接した後の処理済水を用いて魚、排水管等被洗浄物を洗うことを特徴とする魚、排水管等の洗浄作業の改善方法。
【発明の詳細な説明】
【技術分野】
【０００１】  本発明は、水環境を良くするための環境浄化装置、当該環境浄化装置を利用した環境浄化方法、同環境浄化装置を利用した農作物等の生育改善方法及び同環境浄化装置を利用した洗浄作業改善方法に関する。詳しくはブラシ体への接触及び鉱石への接触による弱放射線発生・マイナスイオン発生の作用により水のクラスター構造の微細化をなすことによって、水道水、農業用水、河川水、井戸水、洗浄水若しくは海水等処理前水から浄化力を備えた活性水素水を造水し、当該活性水素水をミネラルを溶出する機能を有するミネラル溶出用粒体に接する状態、若しくは消臭する機能を有する消臭用粒体に接する状態にして流し、このミネラル溶出用粒体若しくは消臭用粒体に接した後の処理済水を用いるようにした環境浄化装置、当該環境浄化装置を利用した環境浄化方法、同環境浄化装置を利用した農作物等の生育改善方法及び同環境浄化装置を利用した洗浄作業改善方法に関する。【０００２】  なお、文中、理解を容易にするために、ブラシ体を通過する前の水道水、農業用水、河川水、井戸水、洗浄水、海水等水のことを「処理前水」と記す場合があり、またブラシ体を通過した後の水道水、農業用水、河川水、井戸水、洗浄水、海水等水のことを「処理済水」と記す場合がある。
【背景技術】
【０００３】  長期に亘って使用されている水道管内は、赤サビ等で汚れ、貯水槽内はヌメリ等で汚れているという問題があり、また排水槽、排水管、下水管は臭気を発するという問題があった。【０００４】  しかしながら、これらの問題を解消する手段としては、専用の薬品を使用したり、特殊な洗浄機器を使用したりする方法が多数提供されているが、これらは必ずしも充分に有効ではなかった。【０００５】  前記薬品を使用する方法は、手軽で便利であるが、環境汚染を惹起することがあるというような問題があり、また洗浄機器を使用する方法は、別途洗浄機器を購入したり専門の洗浄業者に依頼したりする必要性があり、経済的に好ましくなく、煩わしさがあるというような問題があった。【０００６】  また、魚等を洗浄する場合には、生臭いニオイを発しないようにすること、鮮度を失わないようにすること、が望ましい。【０００７】  因みに、鉱石を処理前水に接する状態で含む繊維によりブラシ毛部が構成されたブラシ体を利用している、環境浄化装置、当該環境浄化装置を利用した環境浄化方法、同環境浄化装置を利用した農作物等の生育改善方法及び同環境浄化装置を利用した洗浄作業改善方法は、従前見当たらない。【０００８】  そこで、本発明者は、前記諸問題の解決について鋭意研究した結果、現に使用されている水道水の流圧、現に補給管を介して補給される補給水の流圧を使用して前記問題点を解決すること、及び当該問題の解決後も長期に亘って同様の問題を惹起しないようにすることに成功した。併せてこの成功によって、付随的に農作物等の生育、魚の洗浄、排水管内の洗浄等の洗浄作業を改善できることを見出した。【０００９】  そもそも、無機塩類の形で摂取されるカリウム、カルシウム、マグネシウム、ナトリウム等ミネラルは、人間の成長、農作物等生物の生育には必要であり、不足した場合にはさまざまな弊害を惹起することは知られている。また、稀土鉱石、長石、トルマリン等のマイナスイオン・弱放射線発生鉱石は、水分子のクラスター構造の更なる微細化（水分子の単分子化）をする性質及び水を中性化／弱アルカリ化する性質を有し環境の浄化機能に優れていることは知られている。【００１０】  また、水は、前記細いブラシ毛や前記鉱石にぶつかり接して流れる場合には、泡（気泡）を発生し水分子のクラスター構造の更なる微細化をする性質及び水流、水圧により水分子に振動が与えられることにより泡（空気）は負に帯電して還元電位が低くなる性質を有していることは知られている。しかも、水は、リン・鉄等重金属や大腸菌等を少なからず含み且つ好ましくない臭いを有していることがある。【００１１】  また、水を活性化された形で供給すること及びミネラル成分を活性化された形で供給することは、残留農薬等により汚染された土壌の回復や、連作等により疲弊した農地の蘇生を計るのに有効であることは知られている。【００１２】  さらに、生物活性は、水のクラスターの微細化よって高められること、また水のクラスターの微細化は夾雑物とのミセル形成がより微細化されて容易に起こること、このような微細化によって水の浄化力が１０〜４００％向上することは、知られている。【００１３】
【特許文献１】  本出願人は、ブラシ体への接触及び鉱石への接触による弱放射線発生・マイナスイオン発生の作用により水のクラスター構造の微細化をなすことによって処理前水から浄化力を備えた活性水素水を造水し、当該活性水素水をミネラルを溶出する機能を有するミネラル溶出用粒体に接する状態、若しくは消臭する機能を有する消臭用粒体に接する状態にして流し、このミネラル溶出用粒体若しくは消臭用粒体に接した後の処理済水を用いるようにした環境浄化装置、当該環境浄化装置を利用した環境浄化方法、同環境浄化装置を利用した農作物等の生育改善方法及び同環境浄化装置を利用した洗浄作業改善方法について、先行技術文献を調査したが、これらに関連する先行技術文献は見付け出すことができなかった。
【発明の開示】
【発明が解決しようとする課題】
【００１４】  本発明は、現に使用されている処理前水の流圧を使用して前記問題点を解決することができ、且つ当該問題の解決後も長期に亘って同様の問題を惹起しないようにすることができる、新規の環境浄化装置の提供、環境浄化方法の提供、農作物等の生育改善方法の提供及び魚等の洗浄作業の改善方法の提供を目的とする。
【課題を解決するための手段】
【００１５】  前記目的を達成するために、請求項１に係る環境浄化装置は、鉱石を使用時には処理前水に接する状態で含む繊維によりブラシ毛部が構成されたブラシ体を、上流側入口及び下流側出口を有する導水管内に装入して成ることを特徴とする。【００１６】  したがって、処理済水は、ブラシ体への接触及び鉱石への接触による弱放射線発生・マイナスイオン発生の作用によって水のクラスター構造に微細化される。すなわち、請求項１に係る環境浄化装置によれば、マイナスイオンである水酸イオンを多く含む環境浄化力を備えた活性水素水を効率よく造水することができる。この場合、繊維（ブラシ毛）に含む鉱石は、ブラシ毛が流水で動く時に一緒に動くので泡ができやすく能力アップが期待できる。【００１７】  その結果、前記活性水素水が含む水酸イオンが、赤サビの金属イオンに強い反応性を示して当該赤サビを除去し、赤サビにより汚染されている流路を浄化すると共に水酸イオンの強い脱臭性が機能して臭気を抑制する。【００１８】  請求項２に係る環境浄化装置は、鉱石が、活性水素水を造水する機能を有する鉱石であることを特徴とする。【００１９】  したがって、前記請求項２に係る環境浄化装置によれば、より効率よく浄化力を備えた活性水素水を造水することができる。【００２０】  請求項３に係る環境浄化装置は、鉱石が、ミネラルを溶出する機能を有する鉱石であることを特徴する。【００２１】  したがって、処理済水は、処理前水のブラシ体への接触及び鉱石への接触による弱放射線発生・マイナスイオン発生の作用によって、並びに鉱石への接触によるミネラルの溶出によって、水がクラスター構造に微細化されると共に活性ミネラルを含有した状態で下流側出口から流出される。すなわち、請求項３に係る環境浄化装置によれば、簡単に効率よ環境浄化力を備えたミネラル含有活性水素水を造水することができる。【００２２】  請求項４に係る環境浄化装置は、ブラシ毛部の各ブラシ毛の先端は、同ブラシ毛の基端よりも上流側に存する位置になる状態にして導水管の内面に当接されたことを特徴とする。【００２３】  したがって、ブラシ毛部のブラシ毛は、導水管内には横から見たときにＶの字を呈するように納まった形になる。ブラシ毛の傾斜状態確保が容易にできる。【００２４】  その結果、ブラシ毛部のブラシ毛は、導水管内を流れる処理前水の流圧によって入り乱れ状態を起こすことが無くなる。【００２５】  請求項５に係る環境浄化装置は、導水管内においてブラシ毛部のブラシ毛に接した後の水が流れる位置にミネラルを溶出する機能を有するミネラル溶出用粒体が装入されたことを特徴とする。【００２６】  したがって、処理済水は、ブラシ体への接触及び鉱石への接触による弱放射線発生・マイナスイオン発生の作用によって水のクラスター構造に微細化されると共にミネラル溶出用粒体への接触によって活性ミネラルを含有した状態で下流側出口から流出される。すなわち、請求項５に係る環境浄化装置によれば、簡単に効率よく浄化力を備えたミネラル含有活性水素水を造水することができる。しかもこの場合、クラスター構造に微細化された処理済水がミネラル溶出用粒体に接するようにしてあるので、ミネラルの溶出効率が高く好ましい。【００２７】  請求項６に係る環境浄化装置は、導水管内においてブラシ毛部のブラシ毛に接した後の水が流れる位置に消臭機能を有する消臭用粒体が装入されたことを特徴とする。【００２８】  したがって、処理済水は、ブラシ体への接触及び鉱石への接触による弱放射線発生・マイナスイオン発生の作用によって水のクラスター構造に微細化されると共に消臭用粒体に接して消臭機能を果たすことができる。すなわち、請求項６に係る環境浄化装置によれば、簡単に効率よく消臭機能を備えた活性水素水を造水することができる。しかもこの場合、クラスター構造に微細化された処理済水が消臭用粒体に接するようにしてあるので、より高い消臭機能を備えた活性水素水の造水ができる。【００２９】  請求項７に係る環境浄化装置は、ブラシ体は、多数本のブラシ毛が放射方向に向いて丸棒形状を形成する状態に植毛された構成であることを特徴とする。【００３０】  したがって、導水管内にブラシ体を簡単且つ容易に装入することができ、容易に構成することができる。【００３１】  請求項８に係る環境浄化装置は、導水管が、複数本まで並列に接続されたことを特徴とする。【００３２】  したがって、所謂多連構造の環境浄化装置を簡単且つコンパクトに製造でき、省スペース化に好適である。【００３３】  請求項９に係る環境浄化装置は、ブラシ毛部が導水管内に多数本まで装入されたことを特徴とする。【００３４】  したがって、導水管内に装入するブラシ体の本数を任意に増減することでブラシ毛の密度を調節することができる。【００３５】  請求項１０に係る環境浄化方法は、活性水素水を造水する機能を有する鉱石を使用時には処理前水に接する状態で含む繊維によりブラシ毛部が構成されたブラシ体を、上流側入口及び下流側出口を有する導水管内に装入して環境浄化装置を構成し、この環境浄化装置のブラシ毛部に接する状態で処理前水を流して浄化力を備えた活性水素水を造水すると共に当該活性水素水を、ミネラルを溶出する機能を有するミネラル溶出用粒体に接する状態にして流し、このミネラル溶出用粒体に接した後の処理済水を用いることを特徴とする。【００３６】  したがって、処理前水を上流側入口から流入させて導水管内を通過させたのち下流側出口から処理済水を流出させることによって水道水、補充水等の流路内面壁や排水管内面を浄化することができる。【００３７】  請求項１１に係る環境浄化方法は、活性水素水を造水する機能を有する鉱石を使用時には処理前水に接する状態で含む繊維によりブラシ毛部が構成されたブラシ体を、上流側入口及び下流側出口を有する導水管内に装入して環境浄化装置を構成し、この環境浄化装置のブラシ毛部に接する状態で処理前水を流して活性水素水を造水すると共に当該活性水素水を消臭機能を有する消臭用粒体に接する状態にして流し、この消臭用粒体に接した後の処理済水を環境浄化に用いることを特徴とする。【００３８】  したがって、処理前水を上流側入口から流入させて導水管内を通過させたのち下流側出口から処理済水を流出させることによって排水管内、その他等を消臭することができる。【００３９】  請求項１２に係る農作物等の生育改善方法は、活性水素水を造水する機能を有する鉱石を使用時には処理前水���接する状態で含む繊維によりブラシ毛部が構成されたブラシ体を、上流側入口及び下流側出口を有する導水管内に装入して環境浄化装置を構成し、この環境浄化装置のブラシ毛部に接する状態で処理前水を流して活性水素水を造水すると共に当該活性水素水をミネラルを溶出する機能を有するミネラル溶出用粒体に接する状態にして流し、このミネラル溶出用粒体に接した後の処理済水を田んぼ等農作用地に供給することを特徴とする。【００４０】  したがって、処理前水を上流側入口から流入させて導水管内を通過させたのち下流側出口から処理済水を流出させることによってミネラル含有活性水素水を田んぼ等農作用地、水耕栽培装置、魚等養殖場若しくは豚・鶏等飼育場等に供給できる。【００４１】  その結果、前記ミネラル含有活性水素水を利用して生育される農作物、養殖動植物、飼育動物の成長は、好ましいものとなり、高い生産性等が期待できる。【００４２】  請求項１３に係る魚等の洗浄作業の改善方法は、活性水素水を造水する機能を有する鉱石を使用時には処理前水に接する状態で含む繊維によりブラシ毛部が構成されたブラシ体を、上流側入口及び下流側出口を有する導水管内に装入して環境浄化装置を構成し、この環境浄化装置のブラシ毛部に接する状態で処理前水を流して活性水素水を造水すると共に当該活性水素水を消臭する機能を有する消臭用粒体に接する状態にして流し、この消臭用粒体に接した後の処理済水を用いて魚等被洗浄物を洗うことを特徴とする。【００４３】  したがって、処理前水を上流側入口から流入させて導水管内を通過させたのち下流側出口から流出させることによって消臭機能兼備活性水素水を含む処理済水を得ると共にこのようにして得た消臭機能兼備活性水素水を用いて、船から水揚げされた魚を洗浄し、この洗浄後の魚を箱に詰めて発送する等のことができる。【００４４】  その結果、前記のように消臭機能兼備活性水素水を含む処理済水を用いて洗浄された魚等からはニオイが取れ且つ鮮度が維持される。しかもこの場合、クラスター構造に微細化された処理済水が消臭用粒体に接するようにしてあるので、より高い消臭機能を備えた処理済水の確保が可能で、より高いニオイ取り及び鮮度維持ができる。【００４５】  なお、消臭機能兼備活性水素水を含む処理済水を用いて魚を洗浄し箱詰を行う場合には、船から魚をホッパーへ移して洗い、コンベア上で選り分けて箱に詰めることができる。また、処理前水として水道水、海水を使用することができる。さらに前記消臭機能兼備活性水素水を含む処理済水は、生鮮野菜、その他の洗浄にも利用でき、鮮度維持等に有効である。
【発明の効果】
【００４６】  本発明は、前記の通りであるので、本発明によれば、現に使用される処理前水の流圧を使用して前記問題点を解決することができるようにした、新規の環境浄化装置、環境浄化方法、農作物等の生育改善方法及び魚等の洗浄作業の改善方法を提供するという所期の目的を完全に達成することができる。
【発明を実施するための最良の形態】
【００４７】  図１は、本発明に係る環境浄化装置の要部を示す拡大概念図である。この概念図は、水道水（処理前水）９が、ブラシ毛１１への接触による細かい泡１４の発生及び鉱石８への接触による弱放射線発生・マイナスイオン発生の作用により水のクラスター構造の微細化をなすことによって浄化力を備えた活性水素水にされる状態を示している。【００４８】  図２及び図３は、第１実施の態様に係る環境浄化装置を示す一部切截正面図及び横断面図である。これら図に示す第１実施の態様に係る環境浄化装置１は、水道管（図示せず）の途中個所に接続するための上流側入口２を一端に有し下流側出口３を他端に有する導水管４を構成し、この導水管４内の上流側入口２側にブラシ毛部５を有する一本のブラシ体６を装入し、下流側出口３側にミネラルを溶出する機能を有するセラミックタイプのミネラル溶出用粒体７を装入して構成されている。【００４９】  前記ブラシ毛部５は、浄化力を備えた活性水素水を造水する機能を有する粉状の鉱石８が水道水（処理前水）９に接する状態にして練り込まれた繊維１０を以てその各ブラシ毛１１が構成されている。なお、前記導水管４は、一端寄り個所と他端寄り個所がフランジ継手１２、１３により連結され、必要に応じて分解／組立ができるようにしてある。したがって、斯かる分解／組立によれば、ブラシ体６及びミネラル溶出用粒体７は任意に適宜交換できる。また、ブラシ毛１１を構成する繊維１０は、細かい泡１４を発生しやすくするため及び水道水との接触面積をできるだけ広くするために、図１で示すように細かい波型状に折り曲げられている。よって広くなった分、活性水素水の造水率が高められる。【００５０】  したがって、導水管４内にあっては、上流側入口２から入った水道水（処理前水）９は、ブラシ毛１１に接し且つ鉱石８に接した後にセラミックタイプのミネラル溶出用粒体７に接して下流側出口３から水道管の下流側に戻入する。すなわち、水道水（処理前水）９は、ブラシ毛１１への接触による細かい泡１４の発生及び鉱石８への接触による弱放射線発生・マイナスイオン発生の作用により水のクラスター構造の微細化をなすことによって浄化力を備えた活性水素水にされた後、セラミックタイプのミネラル溶出用粒体７から溶出したミネラルを含んだ状態で水道管の下流側に戻入する。【００５１】  前記ブラシ体６は、２本の線材を捩じり合わせながらその間に予め細かい波型状に折り曲げられたナイロン繊維を短く切り揃えて植毛することによって構成されたものであって、ブラシ毛１１が放射方向に向いた状態でスパイラル状に連続するように構成された丸棒状放射向き植毛ブラシである。このブラシ体６の構造は、棕櫚の繊維を短く切り揃えて製作される従前知られている亀の子束子と同様の製造方法によって構成されているので理解できる。なお、本発明の実施にあって前記ナイロン繊維以外の合成繊維により実施することができる。この場合、内分泌攪乱化学物質（いわゆる環境ホルモン）を含まない合成繊維を採用することが望ましい。【００５２】  また、前記導水管４の内径は７５ｍｍφにされ、ブラシ体６の外形は１００ｍｍφにされている。したがって、ブラシ毛１１の先端が同ブラシ毛１１の基端よりも上流��になる位置にするブラシ体６の装入作業、すなわち横から見たときに左右のブラシ毛１１の向きがＶの字を形成する状態にするブラシ体６の装入作業は、導水管４の上流側入口２側からブラシ体６を挿入する要領によって簡単且つ容易に行うことができ、ブラシ毛１１の傾斜状態の確保に好都合である。【００５３】  因みに、前記のように、左右のブラシ毛１１の向きがＶの字を形成する状態にすることは、ブラシ毛１１が水流圧によって恰も魚の背ビレが動くように良く揺れることになり、細かい泡が効率よく発生することになり、且つ鉱石が効率よく振動することになる。その結果、活性水素水を造水する機能は、より効果的に果されることになって好ましい。またブラシ毛１１は流圧により入れ乱れ状態になり難くなって好ましい。【００５４】  図４及び図５は、第２実施の態様に係る環境浄化装置２１を示す一部切截正面図及び横断面図である。これらの図に示す第２実施の態様に係る環境浄化装置２１は、前記第１実施の態様に係る環境浄化装置１を２連にしたものであって、上流側入口２同士を上流側二股管２２により連結し、また下流側入口３同士を下流側二股管２３により連結して水道管（図示せず）に連結するようにしたものである。なお、２連の各環境浄化装置の詳細な説明は、前記第１実施の態様に係る環境浄化装置１と同じ部位に同一の符号を付けて省略する。【００５５】  図６及び図７は、第３実施の態様に係る環境浄化装置３１を示す一部切截正面図及び横断面図である。これらの図に示す第３実施の態様に係る環境浄化装置３１は、水道管（図示せず）の途中個所に接続するための上流側入口３２を一端に有し下流側出口３３を他端に有する導水管３４を構成し、この導水管３４内の上流側入口３２側に前記第１実施の態様に係る環境浄化装置１の場合と同様にして構成された３本のブラシ体３６、３７，３８を装入し、下流側出口３３側にミネラルを溶出する機能を有するセラミックタイプのミネラル溶出用粒体３９を装入して構成されている。前記ブラシ体３６、３７，３８のブラシ毛部は、前記第１実施の態様に係る環境浄化装置１のものと同じ構成であるので、ここでは説明を省略する。なお、前記導水管３４は、上端にフランジ継手４１を介して上流側入口３２が連結され、また下端にフランジ継手４２を介して下流側出口３３が連結され、必要に応じて分解／組立ができるようにしてある。【００５６】  したがって、導水管３４内にあっては、上流側入口３２から入った水道（処理前水）９は、３本のブラシ体３６、３７，３８のブラシ毛１１に接し且つ鉱石８に接した後にセラミックタイプのミネラル溶出用粒体３９に接して下流側出口３３から水道管に戻入する。すなわち、水道（処理前水）９は、ブラシ毛１１への接触による細かい泡１４の発生及び鉱石８への接触による弱放射線発生・マイナスイオン発生の作用により活性水素水にされた後、セラミックタイプのミネラル溶出用粒体３９から溶出したミネラルを含んだ状態で水道管の下流側に戻入する。【００５７】  前記第３実施の形態に係る環境浄化装置３１のように１本の導水管に多数本のブラシ体を装入することは、ブラシ毛を高い密度状態に装入するためには有効である。このようにブラシ毛が高い密度状態に���入された場合には、水泡が発生しやすくなって好都合であるのみならず活性水素水の造水率のアップに好都合である。なお、装入するブラシ体の本数は、任意に変更できる。【００５８】  図８及び図９は、第４実施の態様に係る環境浄化装置５１を示す一部切截正面図及び横断面図である。これらの図に示す第４実施の態様に係る環境浄化装置５１は、前記第３実施の態様に係る環境浄化装置３１と同様に構成された環境浄化装置５２、５３を２連にしたものであって、上流側入口３２同士を上流側二股管５４により連結し、また下流側入口３３同士を下流側二股管５５により連結して水道管（図示せず）に連結するようにしたものである。なお、２連の各環境浄化装置５２、５３の詳細な説明は、ブラシ体の本数が異なる他は前記第３実施の態様に係る環境浄化装置３１と同様であるので同じ部位に同一の符号を付けて省略する。【００５９】  図１０及び図１１は、第５実施の態様に係る環境浄化装置６１を示す一部切截正面図及び横断面図である。これらの図に示す第５実施の態様に係る環境浄化装置６１は、天板６２により上面が閉塞され底板６３により下面が閉塞された、外筒部６４と内筒部６５からなる導水管６６を採用したものである。この導水管６６は、内筒部６５の上端個所には水道水入口６７が連結され、また外筒部６４の上端寄り個所には水道水出口６８が連結され、更に内筒部６５の下端個所には複数の連通孔６９が設けられると共に外筒部６４内及び内筒部６５内に前記ブラシ体６と同様にして構成された多数本のブラシ体７０、７１がそれぞれ装入され、さらに外筒部６４の底内にはミネラルを溶出する機能を有するセラミックタイプのミネラル溶出用粒体７２が装入されている。すなわち、水道水は、前記水道水入口６７から内筒部６５内及び連通孔６７を経て外筒部６４内に至り水道水出口６８から排水される。このような経路で流れる水道水は、ブラシ体７０、７１によって活性水素水にされ、セラミックタイプのミネラル溶出用粒体７２から溶出したミネラルを含んだ状態で水道管に戻入する。なお、前記天板６２は、螺子７３により止められ、必要に応じて分解できるように構成されている。また、外筒部６４の下端には栓（図示せず）付き水抜き口７４が設けられている。【００６０】  因みに、前記各道水管、各フランジ継手及び螺子はステンレス製であるが、他の材料製であってもよい。【００６１】  前記第１〜５実施の態様に係る環境浄化装置は、ミネラルを溶出する機能を有するセラミックタイプのミネラル溶出用粒体を装入した構成であるので、ミネラル入り活性水素水を得ることができる（以下、これら第１〜５実施の態様に係る環境浄化装置をミネラル含有活性水素水造水式複機能型環境浄化装置Ａという）。【００６２】  前記ミネラル含有活性水素水造水式複機能型環境浄化装置Ａは、水道水、補充水等の流路内面壁を浄化する用途に使用できる。すなわち、このミネラル含有活性水素水造水式複機能型環境浄化装置Ａにおけるブラシ体のブラシ毛部に接する状態で処理済水を流して浄化力を備えた活性水素水を造水すると共に当該活性水素水を、ミネラルを溶出する機能を有するミネラル溶出用粒体に接する状態にして流し、このミネラル溶出用粒体に接した後の処理済水を水道水、補充水等の流路内を戻入通過させることより、水道水、補充水等の流路内面壁を浄化できる。なお、前記ミネラル含有活性水素水造水式複機能型環境浄化装置Ａは、その他の用途にも使用できる。【００６３】  また、前記ミネラル含有活性水素水造水式複機能型環境浄化装置Ａは、農作物等の生育改善ができる。すなわち、このミネラル含有活性水素水造水式複機能型環境浄化装置Ａにおけるブラシ体のブラシ毛部に接する状態で処理済水（農業用水）を流して浄化力を備えた活性水素水を造水すると共に当該活性水素水を、ミネラルを溶出する機能を有するミネラル溶出用粒体に接する状態にして流し、このミネラル溶出用粒体に接した後の処理済水を田んぼ等農作用地、水耕栽培装置等に供給することによって、土壌の改良、農作物等の生育改善ができ、発芽及び開花時期、出荷時期の制御ができ且つ競争力のある農産物の提供ができる。なお、その効果は、米粒、米ぬかが従前のもの比べて甘くなっていることにより証明できた。【００６４】  図１２は、第６実施の態様に係る環境浄化装置８１を示す一部切截正面図である。この第６実施の態様に係る環境浄化装置８１は、前記第１実施の態様に係る環境浄化装置と同じ構成にされ、当該第１実施の態様に係る環境浄化装置におけるセラミックタイプのミネラル溶出用粒体７の代わりに消臭機能を有するペレットタイプの消臭用粒体８２が装入したものである点が異なるものである。ここでは同じ部位に同一の符号を付けてその詳細な説明は省略することにする。【００６５】  図１３は、第７実施の態様に係る環境浄化装置８３を示す一部切截正面図である。この第７実施の態様に係る環境浄化装置８３は、前記第２実施の態様に係る環境浄化装置と同じ構成にされ、当該第２実施の態様に係る環境浄化装置におけるセラミックタイプのミネラル溶出用粒体７の代わりに消臭機能を有するペレットタイプの消臭用粒体８４が装入したものである点が異なるものである。ここでは同じ部位に同一の符号を付けてその詳細な説明は省略することにする。【００６６】  図１４は、第８実施の態様に係る環境浄化装置を示す一部切截正面図である。この第８実施の態様に係る環境浄化装置８５は、前記第３実施の態様に係る環境浄化装置と同じ構成にされ、当該第３実施の態様に係る環境浄化装置におけるセラミックタイプのミネラル溶出用粒体３９の代わりに消臭機能を有するペレットタイプの消臭用粒体８６が装入したものである点が異なるものである。ここでは同じ部位に同一の符号を付けてその詳細な説明は省略することにする。【００６７】  図１５は、第９実施の態様に係る環境浄化装置８７を示す一部切截正面図である。これら図に示す第９実施の態様に係る環境浄化装置８７は、前記第４実施の態様に係る環境浄化装置と同じ構成にされ、当該第４実施の態様に係る環境浄化装置におけるセラミックタイプのミネラル溶出用粒体３９の代わりに消臭機能を有するペレットタイプの消臭用粒体８８が装入したものである点が異なるものである。ここでは同じ部位に同一の符号を付けてその詳細な説明は省略することにする。【００６８】  図１６は、第１０実施の態様に係る環境浄化装置８９を示す一部切截正面図である。これら図に示す第１０実施の態様に係る環境浄化装置８９は、前記第５実施の態様に係る環境浄化装置と同じ構成にされ、当該第５実施の態様に係る環境浄化装置におけるセラミックタイプのミネラル溶出用粒体７２の代わりに消臭機能を有するペレットタイプの消臭用粒体９０が装入したものである点が異なるものである。ここでは同じ部位に同一の符号を付けてその詳細な説明は省略することにする。【００６９】  したがって、前記第６〜１０実施の態様に係る環境浄化装置８１、８３、８５、８７、８９は、水道水（処理前水）９が、ブラシ毛１１への接触による細かい泡１４の発生及び鉱石８への接触による弱放射線発生・マイナスイオン発生の作用により活性水素水にされた後、消臭機能を有するペレットタイプの消臭用粒体９０による消臭力を備えた活性水素水になって水道管の下流側に戻入する。【００７０】  すなわち、前記第６〜１０実施の態様に係る環境浄化装置８１、８３、８５、８７、８９は、消臭機能を有するペレットタイプの消臭用粒体９０を装入した構成であるので、これによれば、消臭力を備えた活性水素水を得ることができる（以下、この第６〜１０実施の態様に係る環境浄化装置の形式を消臭機能兼備活性水素水造水式複機能型環境浄化装置Ｂという）。【００７１】  前記消臭機能兼備活性水素水造水式複機能型環境浄化装置Ｂは、水道水、補充水等の流路内流体を消臭することができる。すなわち、この消臭機能兼備活性水素水造水式複機能型環境浄化装置Ｂにおけるブラシ体のブラシ毛部に接する状態で処理前水を流して浄化力を備えた活性水素水を造水すると共に当該活性水素水を、消臭機能を有する消臭用粒体に接する状態にして流し、この消臭用粒体に接した後の処理済水を水道水、補充水等の流路内を戻入通過させるよって前記水道水、補充水等の流路内流体を消臭することができる。【００７２】  また、前記消臭機能兼備活性水素水造水式複機能型環境浄化装置Ｂは、魚等の洗浄作業を改善することができる。すなわち、この消臭機能兼備活性水素水造水式複機能型環境浄化装置Ｂにおけるブラシ体のブラシ毛部に接する状態で処理前水を流して浄化力を備えた活性水素水を造水すると共に当該活性水素水を消臭する機能を有する消臭用粒体に接する状態にして流し、この消臭用粒体に接した後の処理済水を用いて魚等被洗浄物を洗うことによって魚等の洗浄作業を改善することができる。【００７３】  図１７は、第１１実施の態様に係る環境浄化装置９１を示す一部切截正面図である。この第１１実施の態様に係る環境浄化装置９１は、ミネラルを溶出する機能を有するセラミックタイプのミネラル溶出用粒体や、消臭機能を有するペレットタイプの消臭用粒体を装入せず、導水管９２内に前記ブラシ体６と同様にして構成されたブラシ体９３を装入しただけの構成にして、単に浄化力を備えた活性水素水を得るようにしたものである（以下、この第１１実施の態様に係る環境浄化装置を活性水素水造水式単機能型環境浄化装置Ｃという）。【００７４】  前記活性水素水造水式単機能型環境浄化装置Ｃは、水道水（処理前水）９が、ブラシ体９３のブラシ毛１１への接触による細かい泡１４の発生及び鉱石８への接触による弱放射線発生・マイナスイオン発生の作用により浄化力を備えた活性水素水にされた後、そのまま水道管の下流側に戻入する。【００７５】  前記活性水素水造水式単機能型環境浄化装置Ｃは、水道水、補充水等の流路内面壁を浄化する用途に使用できる。すなわち、この活性水素水造水式単機能型環境浄化装置Ｃにおけるブラシ毛部に接する状態で処理前水を流して活性水素水を造水すると共に当該活性水素水をそのまま水道水、補充水等の流路内を戻入通過させることよって水道水、補充水等の流路内面壁を浄化できる。【００７６】  また、前記活性水素水造水式単機能型環境浄化装置Ｃは、農作物等の生育改善ができる。すなわち、この活性水素水造水式単機能型環境浄化装置Ｃ内に存するブラシ体のブラシ毛部に接する状態で処理前水を流して活性水素水を造水すると共に当該活性水素水をそのまま田んぼ等農作用地、水耕栽培装置に供給することによって土壌の改良、農作物等の生育改善ができ、発芽及び開花時期、出荷時期の制御ができ且つ競争力のある農産物の提供ができる【００７７】  また、前記活性水素水造水式単機能型環境浄化装置Ｃは、魚等の洗浄作業を改善することができる。すなわち、この前記活性水素水造水式単機能型環境浄化装置Ｃは、内存するブラシ体のブラシ毛部に接する状態で処理前水を流して浄化力を備えた活性水素水を造水すると共に当該活性水素水を用いて魚等被洗浄物を洗うことによって魚等の洗浄作業を改善することができる。【００７８】  なお、図１８は、前記第１実施の形態に係る環境浄化装置１がビル、マンション、ホテル等建物の屋上に設置された小型タンク１００に用いられた状態を示している。この使用状態は、小型タンク１００に対する水道水の補充管１０１の途中にバイバス１０２を設け、当該バイパス１０２の途中に前記第１実施の形態に係る環境浄化装置１を接続したものであり、補充管１０１を開閉する補充管開閉用コック１０３と環境浄化装置１の入口側及び出口側を開閉状態にする入口側用コック１０４及び出口側用コック１０５とにより操作できるようにされているものである。【００７９】  すなわち、図１８に示す使用状態において、小型タンク１００に補充水を直にいれる場合には、補充管開閉用コック１０３を開き状態にし且つ入口側用コック１０４及び出口側用コック１０５を閉じ状態にして用い、また小型タンク１００にミネラル含有活性水素水をいれる場合には、補充管開閉用コック１０３を閉じ状態にし且つ入口側用コック１０４及び出口側用コック１０５を開き状態にして用いる。したがって、ミネラル含有活性水素水を小型タンク１００に入れている状態にあっては、当該ミネラル含有活性水素水の浄化作用により、小型タンク１００を含むバイパス１０２より後続の流路の内面を効率よく浄化できる。具体的には、小型タンク１００内のヌルヌルや配管内の赤サビを除去できる。【００８０】  また、図１９は、前記第５実施の形態に係る環境浄化装置６１の多数個がビル、マンション、ホテル等建物の屋上に設置された大型タンク１１０に用いられた状態を示している。この使用状態は、大型タンク１１０に対する水道水の補充管１１１にバイバス１１２を設け、当該バイパス１１２の途中に前記第５実施の形態に係る環境浄化装置６１の４個をシリーズ状態で接続したものであり、補充管１１１を開閉する補充管開閉用コック１１３と環境浄化装置６１の入口側及び出口側を開閉状態にする入口側用コック１１４及び出口側用コック１１５とにより操作できるようにされているものである。なお、前記シリーズ状態の接続は多数本のホース１１６・・・を用いて行う。【００８１】  すなわち、図１９に示す使用状態において、大型タンク１１０に補充水をいれる場合には、補充管開閉用コック１１３を開き状態にし且つ入口側用コック１１４及び出口側用コック１１５を閉じ状態にして用い、また大型タンク１１０にミネラル含有活性水素水をいれる場合には、補充管開閉用コック１１３を閉じ状態にし且つ入口側用コック１１４及び出口側用コック１１５を開き状態にして用いる。したがって、ミネラル含有活性水素水を大型タンク１１０に入れている状態にあっては、当該ミネラル含有活性水素水の浄化作用により、ホース１１６・・・及び大型タンク１１０を含むバイパス１１２より後続の流路の内面を効率よく浄化できる。具体的には、大型タンク１１０内のヌルヌルや配管内の赤サビを除去できる。【００８２】  前記補充管１０１、１１１を開閉する補充管開閉用コック１０３、１１３、環境浄化装置１、６１、当該環境浄化装置１、６１の入口側及び出口側を開閉状態にする入口側用コック１０４、１１４及び出口側用コック１０５、１１５等を含むバイパス流露部分は、既設の補充管直入れ型タンクに簡単に追加できるので、既設タンク装置の改良に適している。【００８３】  また、図２０は、前記第６実施の形態に係る環境浄化装置８１が２階の厨房に設けられている溜枡１２１に臭い止めのため及び下水管内の汚れ取りのために用いられた状態を示している。この使用状態は、前記第６実施の形態に係る環境浄化装置８１を水道に接続した状態で厨房内の適宜個所に設置すると共にこれとは別個に構成された下端開口１２２がラッパ状に拡げられた形状の金属短管１２３を溜枡１２１のグレチング１２４の裏面に、ラッパ状下端開口１２２が下水管１２５の上端開口１２６の上方に対向位置となる状態にして固定し、この固定の状態で前記金属短管１２３と前記当該第６実施の形態に係る環境浄化装置８１の出口側とをホース１２６及びエルボ１２７により連結することで準備されている。【００８４】  したがって、前記のように使用された場合には、前記第６実施の形態に係る環境浄化装置８１により水道水から消臭機能兼備活性水素水が造水され、この造水された消臭機能兼備活性水素水はホース１２６及びエルボ１２７を介して金属短管１２３に案内されると共に当該金属短管１２３のラッパ状下端開口１２２に沿う状態で案内されてラッパ形状に造形される。このラッパ状に造形された消臭機能兼備活性水素水は、下水管１２５の上端開口１２６の上に水の膜からなる帽子状の臭い止め膜１２８を形成して防臭機能を果たすと共に下水管１２５の内周面に沿う状態で流下して下水管内の汚れ取り機能を果たすようになる。【００８５】  因みに、本発明にあって前記のセラミックタイプのミネラル溶出用粒体７、３９、７２は、火山石（長石）を焼結して得た、一般に「ＩＶストーン（商品名）」と称されているものであって、無機塩類の形で摂取されるカリウム、カルシウム、マグネシウ��、ナトリウム等ミネラルを人間の成長、農作物等生物の生育に必要な栄養分として供給する機能を果たすと共に、水分子のクラスター構造の更なる微細化（水分子の単分子化）をする性質及び水を中性化／弱アルカリ化する性質を有していて環境浄化機能を果たすものである。【００８６】  また、前記のペレットタイプの消臭用粒体８２、８４、８６、８８、９０は、火山灰を精製して得た黒土精製品「マジックソイル（商品名）」をペレット状にし、一般に「ＢＳペレット」と称して提供されているものであって、消臭機能のほかに、鉄等有害重金属の除去機能、大腸菌等の殺菌機能を果たすと共に、水分子のクラスター構造の更なる微細化（水分子の単分子化）をする性質及び水を中性化／弱アルカリ化する性質を有し環境の浄化機能を果たすものである。【００８７】  以下、発明に係る環境浄化装置による実効の具体例をいくつか示す。
・  環境浄化装置を通した処理済水を３０年間ほぼ毎日使用している配管に流したときに、大変汚れた水が４〜５分間出た。毎日使用している配管でも大変汚れているのが解った。これはこの装置を通すことにより水のクラスターが小さくなったために水自身の洗浄力が強くなった証拠である。
・  環境浄化装置を通した処理済水を長年花のつけたことのない胡蝶蘭に散水し続けたところ、今年はみごとに大輪の花が咲いた。
・  家庭の水槽にブラシ体を入れて金魚を飼育して３年になるが、ガラスには藻の発生もなく水は少し色が着いた程度であった。３年目にして今年初めて金魚は沢山の卵を産みふ化した。
・  環境浄化装置を通した処理済水で育てたキャベツを半分に切り水盤に入れ水を切らさずに６０日間室温で放置したところ、芽及び根がでていることが観察できた。なお、対象に一般のスーパーで購入したキャベツで試したところ腐敗した。
・  環境浄化装置を通した処理済水を稲作の水に使用したところ収穫した米が甘く、ぬかが非常に甘くなったとの報告あった。このぬかをぬか床に使用すると塩の量を少なくしても良く、ぬか床が腐敗し難くなっていることが判った。
・  新鮮野菜に店頭で１日に何度か霧吹きをするとより新鮮に保つことができ、固定客が増えたと言っている。【００８８】  また、生産された農作物には次のような特徴があった。
・  還元力をもつ免疫作物ができる。
・  中身がしまった美味しいものが生産できる。
・  鮮度が長持ちし、腐りにくくものが生産できる。
・  低農薬作物が生産できる。
・  遠赤外線の育成光線の働きで成長が良く、収量が増加できる。
【図面の簡単な説明】
【図１】本発明に係る環境浄化装置の要部を示す拡大概念図である。
【図２】第１実施の態様に係る環境浄化装置を示す一部切截正面図である。
【図３】同じく横断面図である。
【図４】第２実施の態様に係る環境浄化装置を示す一部切截正面図である。
【図５】同じく横断面図である。
【図６】第３実施の態様に係る環境浄化装置を示す一部切截正面図である。
【図７】同じく横断面図である。
【図８】第４実施の態様に係る環境浄化装置を示す一部切截正面図である。
【図９】同じく横断面図である。
【図１０】第５実施の態様に係る環境浄化装置を示す一部切截正面図である。
【図１１】同じく横断面図である。
【図１２】第６実施の態様に係る環境浄化装置を示す一部切截正面図である。
【図１３】第７実施の態様に係る環境浄化装置を示す一部切截正面図である。
【図１４】第８実施の態様に係る環境浄化装置を示す一部切截正面図である。
【図１５】第９実施の態様に係る環境浄化装置を示す一部切截正面図である。
【図１６】第１０実施の態様に係る環境浄化装置を示す一部切截正面図である。
【図１７】第１１実施の態様に係る環境浄化装置を示す一部切截正面図である。
【図１８】本発明の使用例を示す斜視図である。
【図１９】本発明の別の使用例を示す斜視図である。
【図２０】本発明のさらに異なる別の使用例を示す斜視図である。
【符号の説明】
【００８９】  １  第１実施の態様に係る環境浄化装置
２  上流側入口
３  下流側出口
４  導水管
５  ブラシ毛部
６  ブラシ体
７  セラミックタイプのミネラル溶出用粒体
８  鉱石
９  水道（処理前水）
１０  繊維
１１  ブラシ毛
１２  フランジ継手
１３  フランジ継手
１４  細かい泡
２１  第２実施の態様に係る環境浄化装置
２２  上流側二股管
２３  下流側二股管
３１  第３実施の態様に係る環境浄化装置
３２  上流側入口
３３  下流側出口
３４  導水管
３６  ブラシ体
３７  ブラシ体
３８  ブラシ体
３９  セラミックタイプのミネラル溶出用粒体
４１  フランジ継手
４２  フランジ継手
５１  第４実施の態様に係る環境浄化装置
５２  環境浄化装置
５３  環境浄化装置
５４  上流側二股管
５５  下流側二股管
６１  第５実施の態様に係る環境浄化装置
６２  天板
６３  底板
６４  外筒部
６５  内筒部
６６  導水管
６７  水道水入口
６８  水道水出口
６９  連通孔
７０  ブラシ体
７１  ブラシ体
７２  セラミックタイプのミネラル溶出用粒体
７３  螺子
７４  水抜き口
８１  第６実施の態様に係る環境浄化装置
８２  ペレットタイプの消臭用粒体
８３  第７実施の態様に係る環境浄化装置
８４  ペレットタイプの消臭用粒体
８５  第８実施の態様に係る環境浄化装置
８６  ペレットタイプの消臭用粒体
８７  第９実施の態様に係る環境浄化装置
８８  ペレットタイプの消臭用粒体
８９  第１０実施の態様に係る環境浄化装置
９０  ペレットタイプの消臭用粒体
９１  第１１実施の態様に係る環境浄化装置
９２  導水管
１００  小型タンク
１０１  補充管
１０２  バイパス
１０３  補充管開閉用コック
１０４  入口側用コック
１０５  出口側用コック
１１０  大型タンク
１１１  補充管
１１２  バイパス
１１３  補充管開閉用コック
１１４  入口側用コック
１１５  出口側用コック
１１６  ホース
１２１  溜枡
１２２  下端開口
１２３  金属短管
１２４  グレチング
１２５  下水管
１２６  上端開口
１２７  エルボ
【図１】
2006102733.tif 000003
【図２】
2006102733.tif 000004
【図３】
2006102733.tif 000005
【図４】
2006102733.tif 000006
【図５】
2006102733.tif 000007
【図６】
2006102733.tif 000008
【図７】
2006102733.tif 000009
【図８】
2006102733.tif 000010
【図９】
2006102733.tif 000011
【図１０】
2006102733.tif 000012
【図１１】
2006102733.tif 000013
【図１２】
2006102733.tif 000014
【図１３】
2006102733.tif 000015
【図１４】
2006102733.tif 000016
【図１５】
2006102733.tif 000017
【図１６】
2006102733.tif 000018
【図１７】
2006102733.tif 000019
【図１８】
2006102733.tif 000020
【図１９】
2006102733.tif 000021
【図２０】
2006102733.tif 000022